(57)【要約】【課題】オフィスや家庭等の生活空間等を問わず、生け花等の植物が裏葉に於ける呼吸や（炭酸同化作用や蒸散や光合成）等のサイクルが適切に行える環境を整え、切り花等の生命力を維持することによって、切り口付近を腐敗し難くし、生け花が長期間瑞々しい姿を維持することができる花器を提供することである。【解決手段】木炭又は竹炭又はその他の炭から成る中空状の該主体の内部に、水分を蓄える手段を備え、前記炭の面に当たる空気の流れによって発生するマイナスイオンを、該主体付近又は該主体の上部付近に自然供給する手段を備えたことである。【選択図】            図１
2004313682.tif 000002
【特許請求の範囲】
【請求項１】
木炭又は竹炭又はその他の炭から成る中空状の該主体の内部に、水分を蓄える手段を備え、前記炭の面に当たる空気の流れによって発生するマイナスイオンを該主体付近、又は、該主体の上部付近に自然供給する手段を備えたことを特徴とする炭を用いた花器。
【発明の詳細な説明】
【０００１】
【産業状の利用分野】
本発明は、炭の表面に当たる空気によって生ずるマイナスイオンを用い、鮮度の高い生け花を長期間持続させるための花器に関する物である。
【０００２】
【従来の技術】
従来、切り花や植物等（以下、植物等と言う）を花瓶や花器に生けて飾るが、この切り花や植物を長持ちさせる方法として、塩素系薬剤の殺菌力を利用しているが、これは花卉類を始め植物等は茎を切断され根から切り離されても、水分は道管を通じて花や枝葉の先端まで送水され、余分な水分は葉裏等から蒸散し、生命を維持しようとする。
【０００３】
このため、花瓶や花器に注ぎ込んだ用水を長期間正常に保つ方法として、塩素系薬剤が花の長持剤として実用に供せられている。
更に、一部の生け花等の愛好者の間では、砂糖の水溶液や、銅貨等を銅製品に発生する銅イオンを利用して水の殺菌を行い用水を清浄に保とうとする試みがなされている。
【０００４】
【発明が解決しようとする課題】
上記従来技術の塩素系薬剤を用いた場合に、用水に薬剤を混入した当座、ある程度の殺菌効果が有るものの、時間の経過と共に塩素系薬剤は常温でも数日で気散し、殺菌力を失う。
このため、植物等の腐敗と共に用水中にバクテリアが発生し、道管にバクテリア詰まり、花や枝葉の先への送水が妨げられる。
又、砂糖の溶液を添加して糖分を供給して植物に精力を与えたり、銅貨や銅板等から発生する銅イオンの殺菌力を利用する方法も、時間の経過と共に始まる植物等の切り口付近からの腐敗の速度が早いため殺菌効果を失い、用水中にバクテリアが発生する。
【０００５】
しかし、上記の何れの方法も植物の水揚げを確保する方法であって、植物が成長し、瑞々しさを維持するために必要な光合成や蒸散、呼吸等を補助することではなく、植物に取って適した環境を構成することには成らない。
【０００６】
特に、植物も微弱な電気的信号に反応することは衆知の事実で、近年の如く電化製品の著しい普及や、オフィスのオートメーション化に伴うＯＡ機器の普及によって、オフィスや生活空間にプラスイオンがあふれている現状では、根から切り離された植物にとって適した環境とは言えない。
【０００７】
従って、本発明が解決しようとする課題は、オフィスや家庭等の生活空間等を問わず、生け花等の植物が葉裏に於ける呼吸（炭酸同化作用や蒸散や光合成）等のサイクルが適切に行える環境に整え、切り花等の生命力を維持することによって切り口付近を腐敗し難くし、生け花が長期間瑞々しい姿を維持することのできる花器を提供することである。
【０００８】
【課題を解決するための手段】
本発明に依れば、木炭又は竹炭又はその他の炭から成る中空状の該主体の内部に、水分を蓄える手段を備え、前記炭の面に当たる空気の流れによって発生するマイナスイオンを該主体付近又は該主体の上部付近に自然供給する手段を備えたことである。
【０００９】
尚、ここに言う水分を蓄える手段とは、前記中空部内に容器又は袋容器又は水漏れしない樹脂フィルム等を用い水分を含ませた部材例えば吸水性ポリマー又は紙又は布等の下方を覆うことであり、又は、前記炭を中空の容器状に形成し内面に防水加工を施す等を言うものである。
【００１０】
又、前記炭の面に当たる空気の流れによって発生するマイナスイオンを該主体付近、又は、該主体の上部付近に自然供給する手段とは、該主体及び補助部材の長さを違えることにより、複数の該主体の頂点の上面積を小さく構成し、底面積を大きく構成し、該複数の主体によって形成される花器を、先細状に形成し周囲面積に上下の差を生じさせることによって、炭肌の輻射熱を利用して炭の表面付近の空気を、常に押し上げマイナスイオンを上方向に誘導するように構成することである。
【００１１】
【発明の実施の形態】
木炭又は竹炭又はその他の炭からなる主体１に中空状２を形成し、この中空状２の内部に水分を蓄える手段を備え、且つ、切り花等の植物を挿入（以下生けると称する）した場合、主体１が生けられた植物等の重みによって、転倒することを防止する手段を備えると共に、主体１の外面に接する空気の対流が生じ易く形成されている。
従って、主体１の外面は炭独特の黒色で、この外面に接する空気は輻射熱によって対流を生じ、又は、微風等、空気と炭の面との微弱な摩擦によりマイナスイオンが発生し、この発生したマイナスイオンが主体１の外面をに添って上昇し、植物等を包むように漂い植物等の光合成や呼吸、蒸散等のサイクルを補助する形状に形成することが好ましい。
【００１２】
【実施例】
以下に本発明の実施例を図面に基づいて説明すると、図１は本発明のほんの一例を示す斜視図で、竹炭を素材として主体１を形成してあり、竹特有の中空状２をそのまま使用し、長さの異なる複数の主体１を集合させ、主体１、１、１のそれぞれの外面接触部５、５、５、５、５を固着し花器を構成することもできる。この場合、図示しないが外面接触部５、５、５、５固着する代わりに、紐、又はリボンテープ等を用いて適宜結束することも可能である。
【００１３】
この場合、中空２の内部に水分を蓄える手段を備えてあり、その一例として、図２の如く容器８を挿入することも可能で、この容器８は金属又は合成樹脂製でも良く、又、図示しないが自然素材である竹の節付近を容器状に切断した物であっても可能である。
又、容器８内に親水性発泡ポリマー等（商品名、オアシス）を挿入し水分を含ませる等も可能である。
【００１４】
又、切り花等の植物の先端と中空２に挿入し生けた場合、切り花等は花の部分が重く、切り口方向の茎部分は軽いため、縁部３を支点として植物等が花器と共に転倒する危険が生ずる。
【００１５】
従って、この危険を解消するため、主体１の長さに比して短い補助部材を４、４を設けることが好ましく、この補助部材４、４は主体１の外面接触部５、と固着することにより複数の主体１と共に花器を構成するかとができる。
この場合、補助部材４の素材は図１、図２に於いては主体１と同様に竹炭を用いているが、これはほんの一例であって、この限りではなく、例えば、重量を増すため金属、又は粘土類、又はガラス、又は石、又は木炭、又は陶磁器等の焼き物でも良く、又は竹炭の中空状に重量のある物を流し込むか、又は錘り等を挿入又は封入することも可能である。
【００１６】
又、複数の主体１、１、１の長さがそれぞれ異なり更に補助部材４、４に於いても長さが異なるように構成することが望ましく、換言すれば、花器は下端部より上端部を細く形成することにより、花器表面付近の空気はの流れが、花器の表面に従って上昇しやすい形状に構成することが好ましい。
【００１７】
従って、木炭又は竹炭等の炭の面と空気の関係に於いて、空気の対流や風等が吹き抜ける際に生ずる、極僅かな摩擦によってマイナスイオンが発生することは周知の事実で有り、本発明に於いては、周囲の空気の移動により、又は、自然に発生する風や、又、炭５特有の黒色によって、光と熱を吸収し、主体１が若干暖まることにより、主体１に接触している空気が暖められ、上昇する際に生ずる空気の対流等によってマイナスイオンが微量ずつ発生し、主体１の上方向７に集められ、切り花や植物等を包み、込むように構成されている。
【００１８】
自然界に於いては、滝や渓流など水のぶつかる瞬間にマイナスイオンが発生することが知られているが、渓流沿いや滝の近く又は公園の噴水の近傍に植えられた植物が常に瑞々しくある如く、現在の一般オフィスのＯＡ化や家庭内の電化製品の普及により人間の活動の場においてプラスイオンが充満し、人間始め飼育される動物に至るまでプラスイオンの影響を被っているのは衆知の事実で、これと同様の場所に、根を切られた植物が生けられていることは、微弱な電気信号に影響される植物も、プラスイオンの影響によって電気信号が阻害され、光合成や呼吸、特に蒸散が、円滑に行われない。
【００１９】
従って、マイナスイオンを発生させて、付近に充満するプラスイオンを中和することによりオフィスや生活の場に於いて、自然界に近似した環境を醸成し、花器に生けられた植物等の電気信号の正常化の補助的役割をし、光合成や呼吸、特に蒸散が円滑に行われるため、植物等が道管を通して過剰に吸い上げた水分を適宜に調整し、生命力の維持ができるため、切り口付近が腐敗することはなく、長期に渡って瑞々しさを維持することができ、用水の腐敗を防止する手段の必要はなくるが、水に木酢液、又は竹酢液を少量加えて用水として用いることも可能で、他に、先の木酢液又は竹酢液に替えて、炭の破片等を用水中に混入させることも可能であると共に、同所で活動する人間にも、マイナスイオンによって中和された環境が好影響を与えることとなる。
【００２０】
図３は第２実施例を示す袋状容器の斜視図で、ある程度柔軟性を有するチュウブの一端を固着部９を介して袋状容器１８を形成することも可能で、この時、開口部を形成する辺は側辺に直向しても良いが、側面から見て切り欠き１１を介して先細状の端部１２が形成されるように開口部１０を構成することもでき、この先細状の端部１２を折り返して縁部３に掛止し（図示しない）用水等を注ぎ込むことも可能である。
【００２１】
この場合、主体１が円筒形であるため、この主体１の縁部３に袋容器１８の先細状の端部１２を折り返して掛止した場合（図示しない）、直線状と異なり曲線状となるため引っ張り応力が増し、極めて外れにくくなり、用水を注ぎ込んだ状態で主体１を持ち上げても、袋容器１８が用水の重さによって脱落することがなく、用水を植物等に容易に供給することができるもので、第１実施例と同様の効果を得ることができる。
【００２２】
図４、図５は本発明の第３実施例を示す斜視図で、主体１の内部に水分を蓄える手段として、吸水性を有する素材、例えば吸水性ポリマー、又は、スポンジ類、又は、パルプ、又は、布、又は、大鋸屑、又はゼリーその他吸水性を有する素材であって、図５に於いては（商品名、オアシス）保水部材１５とし、この保水部材１５を（図４）の非透水性のフィルムシートで包み、主体１の中空状２内に挿入し、保水部材１５に植物等を生けることも可能で、作用及び効果は第１実施例と同様である。
【００２３】
図６は本発明の第４実施例を示す一部切り欠きの斜視図で、主体１の中空状２に底部１３を設けると共に、中空状２の内面及び底部１３の面に防水部材１４を設けることも可能で、底部１３を設けるに当たって、図６に於いては竹の節をそのまま使用しているが、これはほんの一例で、例えば木炭の場合炭に焼く前に内部をくりぬいて容器状を形成しても良く、又、炭に焼いた後容器状に形成することもできる。
【００２４】
更に、竹炭を用いる場合、竹炭の長さに比較して節の数が少なく、竹炭にロスが出る場合もある。
この様な場合、中空状２の端部に内面に接着剤（例えば酢酸ビニール系樹脂）又は糊その他の粘着剤を塗布し、紙粘土又は土粘土又は木粘土等を挿入し付き固めて底部１３を形成することも可能である。
さらには、古紙等の紙、又はスポンジの如き弾性体、又は古布等中空状２の形状に適合しやすい素材を挿入接着し底部０３を形成することも可能である。
加えて、漆喰又は石膏又は粘土等を注入して底部１３形成すること可能であり、種々な手段によって容易に中空の容器状に形成することができる。
【００２５】
従って、この時、防水部材１４は例えば、務発泡ポリウレタン、又はエポキシ樹脂、又はシリコンゴムその他２液を混合することによって硬化する非透水性物質の防水部材１４を形成する場合、前記２液を混合して硬化するまでの適宜な時間内に中空状２内に注ぎ込み、中空状２の表面にまんべんなく充分附着させ、且つ、主体１に若干浸透してもかまわない程度に於いて、残りの前記液剤をこぼし硬化させ、防水部材１４を形成することもできる。
【００２６】
又は、空気に接し、空気との反応によって硬化する物質を用いて防水材１４を形成する場合、例えば接着剤等、又は水性ゴム、又防水性ペイントその他等、を用いても良く、この場合に於いても中空状２内に注ぎ込み、表面にまんべんなく附着させた後、残りの液剤を排出し硬化させて防水部材１４を形成するか、又は刷毛等を用いて内面に塗布することも可能である。
【００２７】
又は熱溶解、又は薬品による溶解が可能で、硬化する物質を用いる場合、例えば、パラフィン、又はピッチ、又は合成樹脂その他の素材で防水部材１４を形成することも可能で、この場合、例えばパラフィン又はピッチを用いる場合、熱溶解した溶解液を中空状２内に注入し、硬化する前に素早く内面にまんべんなく附着させる、注入する量は附着する量を目安としても良く、万一多い場合は硬化する前に外部に注ぎ出せばよい。
【００２８】
又、薬液によって溶解して溶液とした場合にあっても、同様の作業で良く、薬液が蒸発して硬化する間での間に作業を終了すれば防水部材１４は極めて容易に形成することができる。
従って、この実施例に於いても、他の実施例と同様、長さの異なる複数の主体１と複数の補助部材４を適宜集合させて花器を構成することができ、第１実施例と同様の作用及び効果を得ることができる。
【００２９】
【発明の効果】
上記の如く、オフィスや生活空間等を問わず、生け花等の葉裏に於ける、呼吸等のサイクルが適切に行える環境は整い、切り花等の生命を維持し、切り口付近が腐敗しにくくなる結果、生け花が長期間瑞々しい姿を維持することができる花器を提供することができる。
【図面の簡単な説明】
【図１】本発明の第１実施例を示す斜視図である。
【図２】本発明の第１実施例の一部切り欠きの斜視図である。
【図３】本発明の第２実施例の袋容器を示す斜視図である。
【図４】本発明の第３実施例のフィルムシートを示す斜視図である。
【図５】本発明の第３実施例の保水部材をフィルムシートで包んだ状態を示す斜視図である。
【図６】本発明の第４実施例の主体と防水部材との関係を示す一部切り欠きの斜視図である。
【符号の説明】
１  主体
２  中空状
３  縁部
４  補助部材
５  外面接触部
６  空気の流れ
７  上方向
８  容器
１８  袋容器
９  固着部
１０  開口部
１１  切り欠き
１２  先細状の端部
１３  底部
１４  防水部材
１５  フィルムシート
１６  保水部材
【図１】
2004313682.tif 000003
【図２】
2004313682.tif 000004
【図３】
2004313682.tif 000005
【図４】
2004313682.tif 000006
【図５】
2004313682.tif 000007
【図６】
2004313682.tif 000008